(57)【特許請求の範囲】
【請求項１】
複数のデジタル情報のそれぞれに分類者によって付与される前記デジタル情報と予め定められた特定事項との関連性を示す関連性情報を取得する関連性情報取得部と、
前記複数のデジタル情報のそれぞれと前記予め定められた特定事項との関連に応じて決定される関連性スコアを前記複数のデジタル情報ごとに算出する関連性スコア算出部と、
前記関連性スコアの予め定められた範囲ごとに、各範囲に含まれる前記関連性スコアを有する前記デジタル情報の総数に対する前記範囲に含まれる前記デジタル情報に付与された前記関連性情報の数の比率を算出する比率算出部と、
前記各範囲のそれぞれに対応づけられた複数の区画を、前記比率に基づいて色相、明度、若しくは彩度を変化させて表示する表示部と
を備えるデジタル情報分析システム。
【請求項２】
前記関連性情報が、前記デジタル情報と前記予め定められた特定事項とが関連することを示す第１関連性情報、及び前記デジタル情報と前記予め定められた特定事項とが関連しないことを示す第２関連性情報を含み、
前記比率算出部が、前記第１関連性情報の数に基づいて前記比率を算出する請求項１に記載のデジタル情報分析システム。
【請求項３】
前記関連性情報取得部が、前記分類者を識別する分類者識別子に対応づけて前記関連性情報を取得し、
前記表示部が、前記分類者識別子で識別される前記分類者ごとに前記複数の区画を表示する請求項１又は２に記載のデジタル情報分析システム。
【請求項４】
一のデジタル情報に対して前記関連性情報が付与される時間を計測する付与時間計測部
を更に備え、
前記表示部が、前記分類者識別子で識別される前記分類者ごとに前記時間から算出される分類スピードを表示する請求項３に記載のデジタル情報分析システム。
【請求項５】
前記複数の区画のいずれかを選択する区画選択部
を更に備え、
前記表示部が、前記区画選択部が選択した区画に対応する前記範囲に含まれる前記関連性スコアを有する前記デジタル情報を表示する請求項１〜４のいずれか１項に記載のデジタル情報分析システム。
【請求項６】
関連性情報取得部、関連性スコア算出部、比率算出部、表示部を備えたデジタル情報分析システムの動作方法であって、
前記関連性情報取得部が、複数のデジタル情報のそれぞれに分類者によって付与される前記デジタル情報と予め定められた特定事項との関連性を示す関連性情報を取得する関連性情報取得段階と、
前記関連性スコア算出部が、前記複数のデジタル情報のそれぞれと前記予め定められた特定事項との関連に応じて決定される関連性スコアを前記複数のデジタル情報ごとに算出する関連性スコア算出段階と、
前記比率算出部が、前記関連性スコアの予め定められた範囲ごとに、各範囲に含まれる前記関連性スコアを有する前記デジタル情報の総数に対する前記範囲に含まれる前記デジタル情報に付与された前記関連性情報の数の比率を算出する比率算出段階と、
前記表示部が、前記各範囲のそれぞれに対応づけられた複数の区画を、前記比率に基づいて色相、明度、若しくは彩度を変化させて表示する表示段階と
を実行するデジタル情報分析システムの動作方法。
【請求項７】
デジタル情報分析プログラムであって、
コンピュータに、
複数のデジタル情報のそれぞれに分類者によって付与される前記デジタル情報と予め定められた特定事項との関連性を示す関連性情報を取得する関連性情報取得機能と、
前記複数のデジタル情報のそれぞれと前記予め定められた特定事項との関連に応じて決定される関連性スコアを前記複数のデジタル情報ごとに算出する関連性スコア算出機能と、
前記関連性スコアの予め定められた範囲ごとに、各範囲に含まれる前記関連性スコアを有する前記デジタル情報の総数に対する、前記範囲に含まれる前記デジタル情報に付与された前記関連性情報の数の比率を算出する比率算出機能と、
前記各範囲のそれぞれに対応づけられた複数の区画を、前記比率に基づいて色相、明度、若しくは彩度を変化させて表示する表示機能と
を実現させるデジタル情報分析プログラム。
【発明の詳細な説明】
【技術分野】
【０００１】
本発明は、デジタル情報分析システム、デジタル情報分析方法、及びデジタル情報分析プログラムに関する。特に、本発明は、デジタル情報を分類する分類者の分類精度の評価に資するデジタル情報分析システム、デジタル情報分析方法、及びデジタル情報分析プログラムに関する。
【背景技術】
【０００２】
従来、記録されたデジタル情報を表示し、複数の文書ファイルごとに、利用者情報に含まれる利用者のうちいずれの利用者に関連するものであるかを示す利用者特定情報を設定し、設定された利用者特定情報を記憶部に記録するように設定し、少なくとも一人以上の利用者を指定し、指定された利用者に対応する利用者特定情報が設定された文書ファイルを検索し、表示部を介して、検索された文書ファイルが、訴訟に関連するものであるか否かを示す付帯情報を設定し、付帯情報に基づき、訴訟に関連する文書ファイルを出力するシステムが知られている（例えば、特許文献１参照。）。特許文献１に記載のシステムによれば、特定の者に関係するデジタル文書情報のみを抽出し、訴訟の証拠資料作成のための作業負荷の軽減を図ることができる。
【先行技術文献】
【特許文献】
【０００３】
【特許文献１】特開２０１２−１８１８５１号公報
【発明の概要】
【発明が解決しようとする課題】
【０００４】
特許文献１に記載されているようなシステムにおいて、デジタル情報に付帯情報を設定する分類者の分類結果を視覚的に表示することにより、分類者の分類精度の向上を図ることができると考えられる。
【０００５】
したがって、本発明の目的は、分類者の分類精度を評価できるデジタル情報分析システム、デジタル情報分析方法、及びデジタル情報分析プログラムを提供することにある。
【課題を解決するための手段】
【０００６】
本発明は、上記目的を達成するため、複数のデジタル情報のそれぞれに分類者によって付与されるデジタル情報と予め定められた特定事項との関連性を示す関連性情報を取得する関連性情報取得部と、複数のデジタル情報のそれぞれと予め定められた特定事項との関連に応じて決定される関連性スコアを複数のデジタル情報ごとに算出する関連性スコア算出部と、関連性スコアの予め定められた範囲ごとに、各範囲に含まれる関連性スコアを有するデジタル情報の総数に対する範囲に含まれるデジタル情報に付与された関連性情報の数の比率を算出する比率算出部と、各範囲のそれぞれに対応づけられた複数の区画を、比率に基づいて色相、明度、若しくは彩度を変化させて表示する表示部とを備えるデジタル情報分析システムが提供される。
【０００７】
また、上記デジタル情報分析システムにおいて、関連性情報が、デジタル情報と予め定められた特定事項とが関連することを示す第１関連性情報、及びデジタル情報と予め定められた特定事項とが関連しないことを示す第２関連性情報を含み、比率算出部が、第１関連性情報の数に基づいて比率を算出することもできる。
【０００８】
また、上記デジタル情報分析システムにおいて、関連性情報取得部が、分類者を識別する分類者識別子に対応づけて関連性情報を取得し、表示部が、分類者識別子で識別される分類者ごとに複数の区画を表示することもできる。
【０００９】
また、上記デジタル情報分析システムにおいて、一のデジタル情報に対して関連性情報が付与される時間を計測する付与時間計測部を更に備え、表示部が、分類者識別子で識別される分類者ごとに時間から算出される分類スピードを表示することもできる。
【００１０】
また、上記デジタル情報分析システムにおいて、複数の区画のいずれかを選択する区画選択部を更に備え、表示部が、区画選択部が選択した区画に対応する範囲に含まれる関連性スコアを有するデジタル情報を表示することもできる。
【００１１】
また、本発明は、上記目的を達成するため、複数のデジタル情報のそれぞれに分類者によって付与されるデジタル情報と予め定められた特定事項との関連性を示す関連性情報を取得する関連性情報取得段階と、複数のデジタル情報のそれぞれと予め定められた特定事項との関連に応じて決定される関連性スコアを複数のデジタル情報ごとに算出する関連性スコア算出段階と、関連性スコアの予め定められた範囲ごとに、各範囲に含まれる関連性スコアを有するデジタル情報の総数に対する範囲に含まれるデジタル情報に付与された関連性情報の数の比率を算出する比率算出段階と、各範囲のそれぞれに対応づけられた複数の区画を、比率に基づいて色相、明度、若しくは彩度を変化させて表示する表示段階とを備えるデジタル情報分析方法が提供される。
【００１２】
また、本発明は、上記目的を達成するため、デジタル情報分析プログラムであって、コンピュータに、複数のデジタル情報のそれぞれに分類者によって付与されるデジタル情報と予め定められた特定事項との関連性を示す関連性情報を取得する関連性情報取得機能と、複数のデジタル情報のそれぞれと予め定められた特定事項との関連に応じて決定される関連性スコアを複数のデジタル情報ごとに算出する関連性スコア算出機能と、関連性スコアの予め定められた範囲ごとに、各範囲に含まれる関連性スコアを有するデジタル情報の総数に対する、範囲に含まれるデジタル情報に付与された関連性情報の数の比率を算出する比率算出機能と、各範囲のそれぞれに対応づけられた複数の区画を、比率に基づいて色相、明度、若しくは彩度を変化させて表示する表示機能とを実現させるデジタル情報分析プログラムが提供される。
【発明の効果】
【００１３】
本発明に係るデジタル情報分析システム、デジタル情報分析方法、及びデジタル情報分析プログラムによれば、分類者の分類精度を評価できるデジタル情報分析システム、デジタル情報分析方法、及びデジタル情報分析プログラムを提供できる。
【図面の簡単な説明】
【００１４】
【図１】本実施の形態に係るデジタル情報分析システムの機能構成ブロック図である。
【図２】本発明の実施の形態に係るデジタル情報分析システムの表示画面である。
【図３】本発明の実施の形態に係るデジタル情報分析システムの表示画面の一部の概要図である。
【図４】本発明の実施の形態に係るデジタル情報分析システムの処理のフロー図である。
【図５】本実施の形態に係るデジタル情報分析システムのハードウェア構成図である。
【発明を実施するための形態】
【００１５】
［実施の形態］
（デジタル情報分析システム１の概要）
本実施の形態に係るデジタル情報分析システム１は、ユーザー端末若しくはサーバー等の情報処理装置２に格納されている複数のデジタル情報に、各デジタル情報が予め定められた特定事項と関連性を有するか否かを示す関連性情報を付与するシステムであって、関連性情報を付与する分類者ごとに、デジタル情報に適切な関連性情報を付与しているか否かを示す分類精度を視覚的に表示するシステムである。
【００１６】
なお、予め定められた特定事項は、例えば、訴訟に関連することを示す情報である。そして、本実施の形態に係るデジタル情報分析システム１は、一例として、不正アクセスや機密情報漏洩等のコンピュータに関する犯罪や法的紛争が生じた場合に、犯罪や紛争の原因究明や捜査に要する電子的記録であるデジタル情報を収集及び分析し、その法的な証拠性を明らかにする技術であるフォレンジックに適用できる。
【００１７】
また、本実施の形態においてサーバーは、１つ以上のサーバーであって、複数のサーバーを含んで構成することもできる。例えば、サーバーは、メールサーバー、ファイルサーバー、又は文書管理サーバー等のデジタル情報を格納可能なサーバーを含む。また、ユーザー端末は、１つ以上のユーザー端末であって、複数のユーザー端末を含んで構成することもできる。例えば、ユーザー端末は、パーソナルコンピュータ、ノートパソコン、タブレットＰＣ、又は携帯電話等の携帯通信端末等を含む。
【００１８】
（デジタル情報分析システム１の詳細）
図１は、本実施の形態に係るデジタル情報分析システムの機能構成ブロックの一例を示す。
【００１９】
本実施の形態に係るデジタル情報分析システム１は、外部からの入力を受け付ける入力部１０と、情報処理装置２に格納されているデジタル情報を取得する情報取得部１２と、分類者によってデジタル情報に付与される関連性情報を取得する関連性情報取得部１４と、デジタル情報と予め定められた特定事項との関連に応じて決定される関連性スコアを算出する関連性スコア算出部１６と、関連性スコアの予め定められた範囲ごとに、各範囲に含まれる関連性スコアを有するデジタル情報の総数に対する当該範囲に含まれるデジタル情報に付与された関連性情報の数の比率を算出する比率算出部１８とを備える。
【００２０】
また、デジタル情報分析システム１は、分類者の関連性情報の付与に要する時間を計測する付与時間計測部２０と、関連性スコアの予め定められた各範囲を表示する表示部２４の表示を制御する表示制御部２２と、関連性スコアの予め定められた各範囲のそれぞれに対応づけられた複数の区画のいずれかを選択する区画選択部２６とを備える。
【００２１】
なお、関連性スコアは、例えばデジタル情報が文書ファイルである場合、当該文書と予め定められた特定事項との関連性を示す値である。関連性スコアの値が大きい程、当該デジタル情報の予め定められた特定事項との関連性が高いことを示す。関連性スコアは、デジタル情報に含まれるキーワード若しくは関連用語等に基づいて算出される。
【００２２】
（情報処理装置２）
情報処理装置２は、複数のデジタル情報を格納するデジタル情報格納部と、デジタル情報を外部に出力する情報出力部とを有する。デジタル情報格納部は、文章情報を含む文書ファイル、テキストファイル、又は電子メール等の複数のデジタル情報を格納する。デジタル情報格納部は、情報取得部１２からの働きかけに応じ、所定のデジタル情報を情報取得部１２に供給する。なお、デジタル情報分析システム１と情報処理装置２とは、インターネット等の通信ネットワーク、又はＬＡＮ等の有線若しくは無線のネットワーク等により相互に通信可能に接続される。また、デジタル情報分析システム１は、情報処理装置２が有する機能及び構成の一部又は全部を備えることもできる。
【００２３】
（入力部１０）
入力部１０は、分類者を一意に識別する分類者識別子に対応づけて外部からの入力を受け付ける。具体的に入力部１０は、分類者がデジタル情報に付与する関連性情報の入力を分類者識別子、及び当該デジタル情報（若しくは、当該デジタル情報を一意に識別するデジタル情報識別子）に対応づけて受け付ける。ここで、関連性情報は、デジタル情報と予め定められた特定事項とが関連することを示す第１関連性情報と、デジタル情報と予め定められた特定事項とが関連しないことを示す第２関連性情報とを含む。第１関連性情報は、例えば、デジタル情報が予め定められた特定事項と関係を有する「ＨＯＴドキュメント」であることを示す情報である。また、第２関連性情報は、例えば、デジタル情報が予め定められた特定事項と関係を有さない「Ｎｏｎ−ＨＯＴドキュメント」であることを示す情報である。入力部１０は、入力された関連性情報を分類者識別子に対応づけて関連性情報取得部１４に供給する。また、入力部１０は、分類者が一のデジタル情報に対する関連性情報の入力を開始した時刻を示す情報を分類者識別子に対応づけて付与時間計測部２０に供給する。
【００２４】
（情報取得部１２）
情報取得部１２は、情報処理装置２からデジタル情報を取得する。具体的に、情報取得部１２は、分類者が関連性情報を付与する対象であるデジタル情報を情報処置装置２から取得する。例えば、情報取得部１２は、入力部１０に入力されたデジタル情報を識別するデジタル情報識別子に基づいて、情報処理装置２からデジタル情報を取得する。情報取得部１２は、取得したデジタル情報を分類者識別子に対応づけて関連性スコア算出部１６に供給する。
【００２５】
（関連性情報取得部１４）
関連性情報取得部１４は、複数のデジタル情報のそれぞれに分類者によって手動で付与される関連性情報を入力部１０から取得する。関連性情報取得部１４は分類者識別子に対応づけて関連性情報を取得する。関連性情報取得部１４は、一のデジタル情報に対して付与される関連性情報を、分類者識別子と当該一のデジタル情報のデジタル情報識別子とに対応づけて比率算出部１８に供給する。また、関連性情報取得部１４は、当該関連性情報を取得した時刻を示す情報を分類者識別子に対応づけて付与時間計測部２０に供給する。
【００２６】
（関連性スコア算出部１６）
関連性スコア算出部１６は、複数のデジタル情報のそれぞれと予め定められた特定事項との関連に応じて決定される関連性スコアを複数のデジタル情報ごとに算出する。関連性スコア算出部１６は、デジタル情報の内容に基づいて関連性スコアを自動的に算出する。具体的に、関連性スコア算出部１６は、一のデジタル情報に含まれるテキストデータ等を形態素解析する。そして、関連性スコア算出部１６は、予め定められた特定事項と当該特定事項との関連性が高い形態素との対応関係に基づいて、一のデジタル情報に対する関連性スコアを算出する。
【００２７】
例えば、関連性スコア算出部１６は、デジタル情報に含まれるテキストデータを形態素解析する。そして、関連性スコア算出部１６は、形態素解析して得られる形態素自体の評価値、形態素が当該デジタル情報に含まれる数、形態素の当該デジタル情報における出現頻度、当該デジタル情報に含まれる関連用語の評価値、関連用語の当該デジタル情報に含まれる数、及び／又は関連用語の当該デジタル情報における出現頻度等に基づいて、関連性スコアを算出する。一例として、関連性スコア算出部１６は、形態素の評価値が高いほど、デジタル情報に含まれる形態素の数が多いほど、デジタル情報における形態素の出現頻度が高いほど高い関連性スコアを算出する。同様に、関連性スコア算出部１６は、デジタル情報に含まれる関連用語の評価値が高いほど、当該デジタル情報に含まれる関連用語の数が多いほど、当該デジタル情報における関連用語の出現頻度が高いほど高い関連性スコアを算出する。
【００２８】
なお、関連用語とは、例えば、第１関連性情報が対応づけられた複数のデジタル情報に共通して含まれると共に出現頻度が予め定められた頻度以上の形態素のうち、評価値が予め定められた値以上の形態素である。出現頻度とは、一のデジタル情報に含まれる形態素の総数に対して関連用語が含まれる割合である。なお、関連性スコア算出部１６は、予め定められた特定事項と関連性を有する形態素のデータベースを含むこともできる。この場合、関連性スコア算出部１６は、当該データベースを参照することで形態素が予め定められた特定事項と関連性を有するか否かを判断することができる。そして、関連性スコア算出部１６は、予め定められた特定事項と関連性を有する形態素を用いて関連性スコアを算出できる。関連性スコア算出部１６は、算出した関連性スコアを比率算出部１８に供給する。
【００２９】
（比率算出部１８）
比率算出部１８は、関連性スコアの予め定められた範囲ごとに、各範囲に含まれる関連性スコアを有するデジタル情報の総数に対する当該範囲に含まれるデジタル情報に付与された関連性情報の数の比率を算出する。比率算出部１８は、例えば、デジタル情報に付与された第１関連性情報の数に基づいて比率を算出することができる。ここで、関連性スコアの予め定められた範囲とは、関連性スコアが「０（ゼロ）」から「Ｘ（Ｘは１以上の正数）」までの数値範囲である場合、当該数値範囲を予め定められた間隔で区切った範囲である。一例として、予め定められた範囲とは、関連性スコアを２００点ごとに区切った複数の範囲のそれぞれである。なお、関連性スコアを区切る数値範囲は適宜変更できる。
【００３０】
具体的に比率算出部１８は、以下のプロセスにより比率を算出する。まず、比率算出部１８は、関連性情報取得部１４から受け取る情報に基づいて、デジタル情報に第１関連性情報と第２関連性情報とのいずれが対応づけられているかを判断する。また、比率算出部１８は、関連性スコア算出部１６から受け取る情報に基づいて、デジタル情報それぞれの関連性スコアを把握する。そして、比率算出部１８は、一の関連性スコアの範囲に含まれるデジタル情報の総数を計測する。続いて、比率算出部１８は、当該一の関連性スコアの範囲に含まれるデジタル情報のうち、第１関連性情報が付与されているデジタル情報の数を計測する。そして、比率算出部１８は、第１関連性情報が付与されているデジタル情報の数を、当該一の関連性スコアの範囲に含まれるデジタル情報の総数で除することにより、分類者識別子に対応づけて比率を算出する。
【００３１】
一例として、比率算出部１８が、関連性スコアが６２００点以上６４００点未満の関連性スコアのスコア範囲における比率を算出する場合を説明する。比率算出部１８は、複数のデジタル情報のうち関連性スコアが６２００点以上６４００点未満の範囲に含まれるデジタル情報の数（以下、「Ａ」と表す。）を計測する。そして、比率算出部１８は、関連性スコアが６２００点以上６４００点未満の範囲に含まれるデジタル情報のうち、「ＨＯＴドキュメント」であることを示す情報が付与されているデジタル情報の数（以下、「Ｂ」と表す。）を計測する。そして、比率算出部１８は、「Ｂ／Ａ」の値を比率として算出する。比率算出部１８は、算出した比率を示す情報を当該比率が算出されたスコア範囲、及び分類者識別子に対応づけて表示制御部２２に供給する。
【００３２】
（付与時間計測部２０）
付与時間計測部２０は、一のデジタル情報に対して関連性情報が付与される時間を計測する。具体的に、付与時間計測部２０は、入力部１０から一の分類者が一のデジタル情報に対する関連性情報の入力を開始した時刻を示す情報を受け取った時点から、関連性情報取得部１４から当該一のデジタル情報に付与された関連性情報を取得した時刻を示す情報を受け取った時点までに要した時間を計測する。付与時間計測部２０は、複数のデジタル情報のそれぞれについて、関連性情報が付与される時間を計測する。また、付与時間計測部２０は、分類者識別子に対応づけて関連性情報が付与される時間を計測する。そして、付与時間計測部２０は、分類者識別子ごとに、当該分類者識別子で識別される分類者の関連性情報を付与するスピード（例えば、１つのデジタル情報あたりに費やした関連性情報を付与する時間）を算出する。付与時間計測部２０は、計測した時間、及び／又は算出したスピードを示す情報を分類者識別子に対応づけて表示制御部２２に供給する。
【００３３】
（表示制御部２２、表示部２４）
表示部２４は、関連性スコアの予め定められた各範囲のそれぞれに対応づけられた複数の区画をデジタル情報を表示可能なディスプレイ等の表示装置に表示する。具体的に、表示部２４は、表示制御部２２が比率算出部１８から受け取った比率を示す情報に基づいて複数の区画それぞれの色相、明度、若しくは彩度を変化させて表示する。ここで、表示部２４は、分類者識別子で識別される分類者ごとに複数の区画を表示する。すなわち、表示制御部２２は、複数の分類者ごとに比率算出部１８から受け取った比率に応じ、複数の区画の色相、明度、若しくは彩度を変化させた状態で表示部２４に各区画を表示させる。例えば、表示制御部２２は、比率が０％から１００％に増加するに応じて、各区画の色を寒色系の色から暖色系の色に徐々に変化させて表示する。
【００３４】
また、表示部２４は、分類者識別子で識別される分類者ごとに付与時間計測部２０から受け取った情報に基づいて、各分類者のデジタル情報を分類するスピードである分類スピードを表示する。表示部２４は、付与時間計測部２０から受け取った計測した時間を示す情報から算出される分類スピードを、複数の区画と共に表示する。なお、表示部２４は、分類スピードを表示する場合、横軸に時間軸を取り、縦軸に分類スピード軸を取ったグラフとして表示できる。ここで、時間軸のタイムスパンは適宜変更できる。
【００３５】
（区画選択部２６）
区画選択部２６は、関連性スコアの予め定められた各範囲のそれぞれに対応づけられた複数の区画のいずれかを外部からの指示に応じて選択する。表示制御部２２は、区画選択部２６によって選択された区画に対応するスコア範囲に含まれる関連性スコアを有するデジタル情報を、表示部２４に表示させる。これにより、デジタル情報分析システム１は、表示部２４に表示されている複数の区画それぞれに含まれるデジタル情報の内容を表示することができる。
【００３６】
（デジタル情報分析システム１の表示画面２６０の概要）
図２は、本発明の実施の形態に係るデジタル情報分析システムの表示画面の一例を示す。また、図３は、本発明の実施の形態に係るデジタル情報分析システムの表示画面の一部の概要を模式的に示す。
【００３７】
表示制御部２２に制御されて表示部２４に表示される表示画面２６０は、関連性スコアの予め定められた各範囲のそれぞれに対応づけられた複数の区画及び比率を表示する表示領域２６２を有する。表示領域２６２は、分類スピードを表示する分類スピード領域２６４と、複数の分類者の氏名又は名称を表示する分類者欄２６６と、関連性スコアを表示する関連性スコア欄２６８とを含む。一例として、デジタル情報分析システム１は、表示領域２６２の横方向に予め定められたスコア範囲ごとに複数の区画を有して構成される関連性スコア欄２６８を有する。そして、デジタル情報分析システム１は、表示領域２６２の縦方向に分類者を表示する分類者欄２６６を有する。したがって、関連性スコア欄２６８は、分類者ごとに設けられる。
【００３８】
図３を参照する。一例として、デジタル情報分析システム１の表示部２４は、一の分類者の分類者名２６６ａを分類者欄２６６に表示する。関連性スコア欄２６８は、表示部２４の一方向（図３の例では、横方向）に沿って複数の区画を表示する。ここで、表示部２４は、関連性スコアが予め定められたスコア範囲ごとに順に増大する順序で複数の区画を配列して表示する。図３の例で表示部２４は、左から右方向に沿って、２００点ずつ関連性スコアが増大するように複数の区画を配列して表示している。
【００３９】
したがって、各区画には、予め定められたスコア範囲を有する関連性スコアが対応づけられている。具体的に、一の区画にｘ点以上ｘ＋ｙ点未満（ただし、ｘ及びｙは０以上の正数あり、ｘ≠ｙである。）の関連性スコアのスコア範囲が対応づけられている場合、当該一の区画に隣接する他の区画には、ｘ＋ｙ点以上ｘ＋ｙ＋ｚ点未満（ただし、ｚは０以上の正数あり、ｙ≠ｚである。）の関連性スコアのスコア範囲が対応づけられる。例えば、一の区画には０点以上２００点未満の関連性スコアが対応づけられる場合、当該一の区画の隣の区画には２００点以上４００点未満の関連性スコアが対応づけられる。すなわち、この例では、スコア範囲は一定である。
【００４０】
表示制御部２２は、比率算出部１８から分類者識別子に対応づけて比率を示す情報を受け取った場合、当該分類者識別子で識別される分類者の分類者欄２６６であって、当該比率の算出に用いられたデジタル情報の関連性スコアに該当する関連性スコア欄２６８の区画３００の色相、明度、若しくは彩度を変化さて表示部２４に表示させる。例えば、表示制御部２２は、比率算出部１８が算出した比率が０％から１００％に増大するにしたがって、徐々に寒色系の色（例えば、青色）から暖色系の色（例えば、赤色）に変化させて区画を表示する。関連性スコアが高いデジタル情報は、予め定められた特定事項との関連性が高いデジタル情報である。したがって、関連性スコアが高いほど、高い関連性スコアに対応する区画の色は暖色系であることが好ましいことになる。よって、表示部２４に表示される各区画の色を参照することで、各分類者の分類精度の良し悪しを一目で把握できることになる。
【００４１】
（デジタル情報分析システムの処理の流れの概要）
図４は、本発明の実施の形態に係るデジタル情報分析システムの処理の流れの一例を示す。
【００４２】
まず、関連性情報取得部１４は、情報取得部１２が取得したデジタル情報に対して入力部１０を介して付与される関連性情報を取得する（ステップ１０。以下、ステップを「Ｓ」と表す。）。関連性情報取得部１４は、入力部１０に関連性情報を入力した分類者の分類者識別子に対応づけて関連性情報を取得する。関連性情報取得部１４は、取得した関連性情報を比率算出部１８に供給する。また、関連性スコア算出部１６は、情報取得部１２が取得したデジタル情報の関連性スコアを算出する（Ｓ１５）。関連性スコア算出部１６は、算出した関連性スコアを比率算出部１８に供給する。
【００４３】
比率算出部１８は、予め定められた関連性スコアのスコア範囲に含まれる関連性スコアを有するデジタル情報の総数を計測する。そして、比率算出部１８は、当該スコア範囲に含まれる関連性スコアを有するデジタル情報であって、第１関連性情報が対応づけられているデジタル情報の数を計測する。次に、比率算出部１８は、第１関連性情報が対応づけられているデジタル情報の数を、計測した総数で除することにより比率を算出する（Ｓ２０）。比率算出部１８は、複数のスコア範囲のそれぞれについて比率を算出する。比率算出部１８は、算出した比率を示す情報を表示制御部２２に供給する。
【００４４】
表示制御部２２は、比率算出部１８から受け取った比率を示す情報に基づいて、表示部２４の複数の区画のそれぞれの色相、明度、若しくは彩度を変化させて表示する（Ｓ２５）。表示制御部２２は、複数の分類者のそれぞれごとに複数の区画を表示する。
【００４５】
図５は、本発明の実施の形態に係るデジタル情報分析システムのハードウェア構成の一例を示す。
【００４６】
本実施の形態に係るデジタル情報分析システム１は、ＣＰＵ１５００と、グラフィックコントローラ１５２０と、Ｒａｎｄｏｍ  Ａｃｃｅｓｓ  Ｍｅｍｏｒｙ（ＲＡＭ）、Ｒｅａｄ−Ｏｎｌｙ  Ｍｅｍｏｒｙ（ＲＯＭ）及び／又はフラッシュＲＯＭ等のメモリ１５３０と、データを記憶する記憶装置１５４０と、記録媒体からデータを読み込み及び／又は記録媒体にデータを書き込む読込／書込み装置１５４５と、データを入力する入力装置１５６０と、外部の通信機器とデータを送受信する通信インターフェース１５５０と、ＣＰＵ１５００とグラフィックコントローラ１５２０とメモリ１５３０と記憶装置１５４０と読込／書込み装置１５４５と入力装置１５６０と通信インターフェース１５５０とを互いに通信可能に接続するチップセット１５１０とを備える。
【００４７】
チップセット１５１０は、メモリ１５３０と、メモリ１５３０にアクセスして所定の処理を実行するＣＰＵ１５００と、外部の表示装置の表示を制御するグラフィックコントローラ１５２０とを相互に接続することにより、各構成要素間のデータの受渡しを実行する。ＣＰＵ１５００は、メモリ１５３０に格納されたプログラムに基づいて動作して、各構成要素を制御する。グラフィックコントローラ１５２０は、メモリ１５３０内に設けられたバッファ上に一時的に蓄えられた画像データに基づいて、画像を所定の表示装置に表示させる。
【００４８】
また、チップセット１５１０は、記憶装置１５４０と、読込／書込み装置１５４５と、通信インターフェース１５５０とを接続する。記憶装置１５４０は、デジタル情報分析システム１のＣＰＵ１５００が使用するプログラムとデータとを格納する。記憶装置１５４０は、例えば、フラッシュメモリである。読込／書込み装置１５４５は、プログラム及び／又はデータを記憶している記憶媒体からプログラム及び／又はデータを読み取って、読み取ったプログラム及び／又はデータを記憶装置１５４０に格納する。読込／書込み装置１５４５は、例えば、通信インターフェース１５５０を介し、インターネット上のサーバーから所定のプログラムを取得して、取得したプログラムを記憶装置１５４０に格納する。
【００４９】
通信インターフェース１５５０は、通信ネットワークを介して外部の装置とデータの送受信を実行する。また、通信インターフェース１５５０は、通信ネットワークが不通の場合、通信ネットワークを介さずに外部の装置とデータの送受信を実行することもできる。そして、キーボード、タブレット、マウス等の入力装置１５６０は、所定のインターフェースを介してチップセット１５１０と接続する。
【００５０】
記憶装置１５４０に格納されるデジタル情報分析システム１用のデジタル情報分析プログラムは、インターネット等の通信ネットワーク、又は磁気記録媒体、光学記録媒体等の記録媒体を介して記憶装置１５４０に提供される。そして、記憶装置１５４０に格納されたデジタル情報分析システム１用のデジタル情報分析プログラムは、ＣＰＵ１５００により実行される。
【００５１】
本実施の形態に係るデジタル情報分析システム１により実行されるデジタル情報分析プログラムは、ＣＰＵ１５００に働きかけて、デジタル情報分析システム１を、図１から図４において説明した入力部１０、情報取得部１２、関連性情報取得部１４、関連性スコア算出部１６、比率算出部１８、付与時間計測部２０、表示制御部２２、表示部２４、及び区画選択部２６として機能させる。
【００５２】
（実施の形態の効果）
本実施の形態に係るデジタル情報分析システム１は、デジタル情報に適切な関連性情報を付与しているか否かを示す精度を複数の分類者それぞれごとに一目で把握することができるように、分類者ごとの分類精度をマップ表示（例えば、ヒートマップ表示）することができる。そして、デジタル情報分析システム１は、デジタル情報の関連性スコアが高いほど当該デジタル情報が予め定められた特定事項との関連性が高いことを利用し、関連性スコアの高さに応じて区画の表示状態を変更することができる。すなわち、本実施の形態に係るデジタル情報分析システム１によれば、関連性スコアの各区画の色を参照するだけで、各分類者のデジタル情報の分類精度を一目で把握することができるように区画の色を比率に応じて変化させて表示できる。これにより、デジタル情報分析システム１によれば、各分類者のデジタル情報の分類精度を視覚的に表示することができるので、分類者に分類精度を向上させる情報を提供することができる。
【００５３】
更に、デジタル情報分析システム１は、一の分類者がデジタル情報に関連性情報を付与するスピードを分類スピード領域２６４に表示するので、分類者の分類スピードを分類者の分類精度と共に一目で把握することができる。これにより、デジタル情報分析システム１は、例えば、一の分類者の分類精度が高い場合であっても、分類スピードが遅い等の分類者の特徴を把握することができる。
【００５４】
以上、本発明の実施の形態を説明したが、上記に記載した実施の形態は特許請求の範囲に係る発明を限定するものではない。また、実施の形態の中で説明した特徴の組合せのすべてが発明の課題を解決するための手段に必須であるとは限らない点に留意すべきである。更に、上記した実施形態の技術的要素は、単独で適用されてもよいし、プログラム部品とハードウェア部品とのような複数の部分に分割されて適用されるようにすることもできる。
【符号の説明】
【００５５】
１  デジタル情報分析システム
２  情報処理装置
１０  入力部
１２  情報取得部
１４  関連性情報取得部
１６  関連性スコア算出部
１８  比率算出部
２０  付与時間計測部
２２  表示制御部
２４  表示部
２６  区画選択部
２６０  表示画面
２６２  表示領域
２６４  分類スピード領域
２６６  分類者欄
２６６ａ  分類者名
２６８  関連性スコア欄
３００  区画
１５００  ＣＰＵ
１５１０  チップセット
１５２０  グラフィックコントローラ
１５３０  メモリ
１５４０  記憶装置
１５４５  読込／書込み装置
１５５０  通信インターフェース
１５６０  入力装置
【要約】
【課題】分類者の分類精度を評価できるデジタル情報分析システム、デジタル情報分析方法、及びデジタル情報分析プログラムを提供する。
【解決手段】デジタル情報分析システム１は、複数のデジタル情報のそれぞれに分類者によって付与されるデジタル情報と予め定められた特定事項との関連性を示す関連性情報を取得する関連性情報取得部１４と、複数のデジタル情報のそれぞれと予め定められた特定事項との関連に応じて決定される関連性スコアを複数のデジタル情報ごとに算出する関連性スコア算出部１６と、関連性スコアの予め定められた範囲ごとに、各範囲に含まれる関連性スコアを有するデジタル情報の総数に対する当該範囲に含まれるデジタル情報に付与された関連性情報の数の比率を算出する比率算出部１８と、各範囲のそれぞれに対応づけられた複数の区画を比率に基づいて色を変化させて表示する表示部２４とを備える。
【選択図】図１【図１】
0005572255.tif 000002
【図２】
0005572255.tif 000003
【図３】
0005572255.tif 000004
【図４】
0005572255.tif 000005
【図５】
0005572255.tif 000006